(57)【特許請求の範囲】
【請求項１】
左右の足が使用者から見て「ハ」の字形に開くように、左右の足の親指同士を接近させることのできる接近手段を有し、前記接近手段が、２個の親指サック（１１，１１Ａ）を繋いだ形状の器具であることを特徴とする骨盤・脊椎骨の矯正具（１，１Ａ）。
【請求項２】
前記「ハ」の字を構成する前記２個の親指サック（１１，１１Ａ）の開度（θ）が３０度〜７０度である請求項１記載の矯正具。
【請求項３】
前記２個の親指サック（１１Ａ）の頂部が開口（１２Ａ）となっている請求項１記載の矯正具（１Ａ）。
【請求項４】
左右の足が使用者から見て「ハ」の字形に開くように、左右の足の親指同士を接近させることのできる接近手段を有し、前記接近手段が、２個の親指サック（１１Ｂ）から続くほぼ三角形状の輪郭を有する本体部（１３Ｂ）と、この本体部材と使用者の足首を繋ぐ足首固定具（１４Ｂ）からなることを特徴とする骨盤・脊椎骨の矯正具（１Ｂ）。
【請求項５】
左右の足が使用者から見て「ハ」の字形に開くように、左右の足の親指同士を接近させることのできる接近手段を有し、前記接近手段が、背面板（１５Ｃ）とその背面板の前方に設けられた足載せ板（１６Ｃ，１７Ｃ，１８Ｃ）と、左右の足を前記背面板（１５Ｃ）に向けて押圧する弾性紐（１９Ｃ）からなることを特徴とする骨盤・脊椎骨の矯正具（１Ｃ）。
【請求項６】
左右の足が使用者から見て「ハ」の字形に開くように、左右の足の親指同士を接近させることのできる接近手段を有し、前記接近手段が、一対の靴下（２０Ｄ）であって、親指部分（２１Ｄ）同士を縫い合わせにより固定、又は、面ファスナにより固定可能としたものであることを特徴とする骨盤・脊椎骨の矯正具（１Ｄ）。
【請求項７】
左右の足が使用者から見て「ハ」の字形に開くように、左右の足の親指同士を接近させることのできる接近手段を有し、前記接近手段が、一対の靴類（２２Ｅ）であって、親指部分同士に吸着し合う永久磁石（２３Ｅ）を埋め込んだものであることを特徴とする骨盤・脊椎骨の矯正具（１Ｅ）。
【発明の詳細な説明】
【技術分野】
【０００１】
本発明は、骨盤・脊椎骨の歪み・ズレ・傾き・開きなどを矯正する矯正具に関するものである。
【背景技術】
【０００２】
骨盤や脊椎骨に歪み・ズレ・傾き・開きなどがあると、姿勢や血行が悪くなり、腰痛の原因となりやすい。現代人は、長時間同じ姿勢を取り続けたり、運動が不足しがちであったりすることが多く、その結果、骨盤や脊椎骨に異常をきたして腰痛や椎間板ヘルニアに悩まされている人が多い。
【０００３】
これを矯正する目的で現在手軽に行われているのは、腰部や臀部に腰ベルトを装着することである。例えば、特開２０１３―５９２９、特開２００２―３４５８６６など多数の考案が知られている。
【先行技術文献】
【特許文献】
【０００４】
【特許文献１】特開２０１３―５９２９
【特許文献２】特開２００２―３４５８６６
【発明の概要】
【発明が解決しようとする課題】
【０００５】
腰ベルトはそれなりに効果があるが、装着や取り外しに時間がかかり、薄着の時期には装着していることが周囲の人にわかってしまうという欠点がある。
【０００６】
本発明は、装着や取り外しが簡単で、比較的に安価で、しかも携帯に便利なため、開いている時間を利用してどこでも使用できる骨盤・脊椎骨の矯正具を提供することを目的とする。
【課題を解決するための手段】
【０００７】
本発明の骨盤・脊椎骨の矯正具は、左右の足が使用者から見て「ハ」の字形に開くように、左右の足の親指同士を接近させることのできる接近手段を有し、前記接近手段が、２個の親指サックを繋いだ形状の器具であることを特徴とする（請求項１）。ここで「接近」とは、物理的な接触状態はもちろん互いに２〜３ｃｍ程度離れている場合も含む。
【０００８】
好ましくは、前記「ハ」の字を構成する両足の開度（θ）は３０度〜７０度となるように設定する（請求項２）。
【０００９】
この２個の親指サックの頂部は通気性を確保するため開口としてもよい（請求項３）。
【００１１】
前記接近手段は、前記２個の親指サックから続くほぼ三角形状の輪郭を有する本体部と、この本体部材と使用者の足首を繋ぐ足首固定具とすることもできる（請求項４）。
【００１２】
別の変形例では、前記接近手段は、背面板とその背面板の前方に設けられた足載せ板と、左右の足を背面板に向けて押圧する弾性紐からなる（請求項５）。
【００１３】
別の変形例では、前記接近手段は、一対の靴下であって、親指部分同士を縫い合わせにより固定、又は、面ファスナにより固定可能としたものである（請求項６）。
【００１４】
さらに別の変形例では、前記接近手段は、一対の靴類であって、親指部分同士に吸着し合う永久磁石を埋め込んだものである（請求項７）。ここで「靴類」とは短靴、長靴、サンダルなどの履物をいう。
【発明の効果】
【００１５】
本発明請求項１の矯正具によれば、左右の足が使用者から見て「ハ」の字形に開くので、骨盤・脊椎骨の歪み・ズレ・傾き・開きなどが矯正される。骨盤・脊椎骨の矯正を通じて、腰痛の軽減・予防、血行の改善、さらには蟹股・Ｏ脚の改善効果が得られる。
【００１６】
請求項２〜８はそのような矯正具の具体例である。請求項３，４の親指サックや請求項８の靴下は構造が簡単なため、安価に提供することができると共に、携帯にも便利である。請求項５〜７の矯正具は足を「ハ」の字形に維持固定するのが容易となる。請求項９の靴類は予め靴類の中に永久磁石を埋め込んでいるので、改めて用意するものがなく、いつどこでも使用できる。
【図面の簡単な説明】
【００１７】
【図１】本発明の第１実施例の矯正具を装着している状態の斜視図である。
【図２】同矯正具の（ａ）平面図、（ｂ）側面図、（ｃ）底面図、（ｄ）ａにおける矢示断面図である。
【図３】本発明の第２実施例の矯正具の（ａ）平面図、（ｂ）側面図、（ｃ）底面図、（ｄ）ａにおける矢示断面図である。
【図４】本発明の第３実施例の矯正具を装着している状態の斜視図である。
【図５】本発明の第４実施例の矯正具を装着している状態の斜視図である。
【図６】本発明の第５実施例の矯正具を装着している状態の斜視図である。
【図７】本発明の第６実施例の矯正具を装着している状態の斜視図である。
【発明を実施するための形態】
【００１８】
以下、添付の図面に基づいて、本発明の実施例を説明する。
【実施例１】
【００１９】
図１、図２は本発明の第１実施例に係る矯正具１であり、２個の親指サック１１を繋いだ形状の器具である。２個並べたとき、左右の足が使用者自身から見て「ハ」の字形となる。両足の開度（θ）は２０度〜８０度、好ましくは３０度〜７０度、最も好ましくは４０度〜５０度となるように設定する。
【００２０】
親指サック１１の素材は、ある程度の強度と柔軟性を有するプラスチックであればよく、特にシリコーンが好ましい。
【００２１】
使用方法は、この親指サック１１を左右の足の親指に装着して図１のように横になるだけである。すると、両太ももに力が入り、背中とベッドの間に少し隙間ができるのが感じられるであろう。背骨がＳ字形となって、自然に姿勢が矯正されるのである。可能であれば、この状態で一晩寝てもよいが、やや不自然な姿勢のため、安眠は難しいかもしれないし、夜中に起きたとき、あわてて転ぶ恐れもある。そのときは昼間の休憩時間に１日３０分間程度横になってこの姿勢を取るだけで効果は十分得られる。
【００２２】
長年腰痛に悩まされていた発明者自身を含め、３名がこの矯正具１を使用したところ、その症状が軽快した。
【実施例２】
【００２３】
図３は本発明の第２実施例に係る矯正具１Ａである。第１実施例とよく似た親指サック１１Ａであるが、先端が開口１２Ａとなっている。この開口は親指サック１１Ａに通気性を与えて蒸れを防ぐためのものである。
【実施例３】
【００２４】
図４は本発明の第３実施例に係る矯正具１Ｂである。親指サック１１Ｂの部分は第１実施例と同様である。第３実施例では、使用者から見て左右の足が「ハ」の字形に固定されるような固定手段を設けている。
【００２５】
この固定手段とは、親指サック１１Ｂから続く本体部１３Ｂと、この本体部材と使用者の足首を繋ぐ足首固定具１４Ｂからなる。本体部材１３Ｂはほぼ三角形状の輪郭を有する平板である。足首固定具１４Ｂは先端が開いたリング状であり、バネ性を有しているので、リング先端を手で開いて足首にはめ、手を放して復元させる。全体をプラスチックで一体成形することが好ましいが、足首固定具はバネ性を補強するため、スポンジや柔らかい布地で被覆した金属板を使用してもよい。
【実施例４】
【００２６】
図５は本発明の第４実施例に係る矯正具１Ｃである。親指サックは（使用してもよいが）使用する必然性はない。第４実施例でも第３実施例と同様に、使用者から見て左右の足が「ハ」の字形に固定されるような固定手段を設けている。
【００２７】
この固定手段は、背面板１５Ｃとその背面板１５Ｃの前方に設けられた足載せ板１６Ｃ，１７Ｃ，１８Ｃと、左右の足を背面板に向けて押圧する弾性紐１９Ｃを有する。背面板１５Ｃは足を当てるための板状部材である。足載せ板は使用者から見て左右の足が「ハ」の字形となるように設けられた３個の隆起板である。中央の山形部材１７Ｃの輪郭で「ハ」を形成する。左右の逆三角形状の位置決め部材１６Ｃ，１８Ｃは足が外側に移動しないようにするためのものである。背面板１５Ｃと足載せ板１６Ｃ，１７Ｃ，１８Ｃはプラスチックで一体成型するのが好ましい。しかし、別の変形例では背面板と足載せ板を別部品として、後者を前者に対して位置（上下左右方向への移動、傾斜角度の変更）調整可能なものとすれば、使用者の足の大きさに応じて最適な状態に設定することも可能となる。弾性紐１９Ｃは、例えばゴムバンドであり、足が前方に抜けないようにするためのものである。
【実施例５】
【００２８】
図６は本発明の第５実施例に係る矯正具１Ｄである。一対の靴下２０Ｄであって、親指部分２１Ｄ同士を縫い合わせて固定したものである。当然、日常生活には使用することができず、矯正の目的のために特別に装着する。別法では、親指部分同士に面ファスナを取り付けて分離又は固定可能としてもよい。この場合は分離した状態の靴下を日常生活で使用し、必要なときだけ付着させることができる。
【実施例６】
【００２９】
図７は本発明の第６実施例に係る矯正具１Ｅである。一対のサンダル２２Ｅであって、親指部分同士に吸着し合う永久磁石２３Ｅを埋め込んだものである。サンダル以外に、短靴や長靴などの履物でもよい。
【００３０】
このサンダルはもちろん昼間履物として通常使用するものであり、電車の中で吊革につかまって立っているときや公園のベンチに座ったときに親指部分同士を吸着させて使用する。横に寝た状態で矯正具を使用するのと比較して効果は落ちるが、いつでも思いついたときに実行できるので便利である。
【符号の説明】
【００３１】
１Ａ，１Ｂ，１Ｃ，１Ｄ，１Ｅ       矯正具
１１，１１Ａ，１１Ｂ   親指サック
１２Ａ   開口
１３Ｂ   本体部
１４Ｂ   足首固定具
１５Ｃ   背面板
１６Ｃ，１７Ｃ，１８Ｃ      足載せ板
１９Ｃ   弾性紐
２０Ｄ   靴下
２１Ｄ   親指部分
２２Ｅ   サンダル
２３Ｅ   永久磁石
【図１】
0006265869.tif 000002
【図２】
0006265869.tif 000003
【図３】
0006265869.tif 000004
【図４】
0006265869.tif 000005
【図５】
0006265869.tif 000006
【図６】
0006265869.tif 000007
【図７】
0006265869.tif 000008